(57)【要約】【課題】後続きの人工歯根の作製には歯の噛合い関係のデータが明確になり、後続きの人工歯根の噛合いが良くなり、歯排列のデータが明確になり、歯植えの人工歯根の外観が良くなる支台歯の設計方法を提供する。【解決手段】特徴点が設けられた参考ジグ３０を口腔模型２０の模造人工歯根２２が設けて、参考ジグ３０の特徴点によって、参考ジグ３０と同じな形態を持つデジタル支台歯７０を模造人工歯根２２に位置決めることにより、デジタル支台歯７０と模造人工歯根２２を互いに位置決めた後の配置デジタルデータを取り、前記配置デジタルデータを取ることにより、デジタル支台歯７０と模造人工歯根２２との配置を影響しないように、デジタル支台歯７０を最高の形態に調整可能である。【選択図】図１
2009101124.tif 000002
【特許請求の範囲】
【請求項１】
患者の口腔内の形状をレプリカして口腔模型を作製し、前記口腔模型の歯植え箇所では模造人工歯根が設けてあり、且つ前記模造人工歯根に結合界面が設けてあるステップＡと、
参考ジグを取り出して、前記参考ジグに結合界面が設けてあり、且つ前記参考ジグの外面には特徴点が少なくとも一つ設けてあり、前記特徴点が遮蔽されないように、前記模造人工歯根の結合界面に前記参考ジグの結合界面を位置決めるステップＢと、
前記口腔模型をスキャンすることにより、デジタル口腔模型、デジタル参考ジグとデジタル特徴点を取るステップＣと、
データベースから、デジタル位置決めジグ、前記デジタル位置決めジグに結合した位置決め子とデジタル支台歯を取り出し、前記デジタル位置決めジグに特徴点が少なくとも一つ設けてあり、これらの特徴点により前記デジタル位置決めジグをデジタル参考ジグと重ねて位置決めて前記デジタル参考ジグを取り代わり、これにより、デジタル位置決めジグにある位置決め子と模造人工歯根にある結合界面の互いの位置決めの配置デジタルデータを取り可能であり、且つ前記デジタル支台歯が前記デジタル参考ジグと重ねて位置決められるステップＤと、
前記デジタル位置決めジグ及び模造人工歯根の配置デジタルデータを取ることにより、前記デジタル支台歯を最高の形態に調整するステップＥを含むことを特徴とする、支台歯の設計方法。
【請求項２】
上記ステップＡにおいて、前記口腔模型の歯植え箇所が後歯である場合には、前記参考ジグが前記口腔模型の後歯に設置され、且つその特徴点が頬に向いていることを特徴とする、請求項１に記載の支台歯の設計方法。
【請求項３】
上記ステップＡにおいて、前記口腔模型の歯植え箇所が前歯である場合には、前記参考ジグが前記口腔模型の前歯に設置され、且つその特徴点が唇に向いていることを特徴とする、請求項１に記載の支台歯の設計方法。
【請求項４】
上記ステップＢにおいて、前記参考ジグの特徴点が凹んだ形態であることを特徴とする、請求項１に記載の支台歯の設計方法。
【請求項５】
上記ステップＤにおいて、前記デジタル支台歯が前記デジタル位置決めジグと共に前記デジタル参考ジグと重ねて位置決められることを特徴とする、請求項１に記載の支台歯の設計方法。
【発明の詳細な説明】
【技術分野】
【０００１】
本発明は、歯植え用の支台歯に係り、特に、支台歯の設計方法に関するものである。
【背景技術】
【０００２】
目下、支台歯を作製するときには、人工歯根を患者の口腔の最高な箇所に位置するために、コンピュータソフトウェアによって支台歯の形態を編修することが一般になる。なお、支台歯の形態を編修する過程中に、まず、患者の口腔をレプリカして口腔模型を作製することが必要であり、次に、コンピュータにより前記口腔模型をスキャンしてコンピュータソフトウェアによって支台歯の形態を編修し又は設計する。
【０００３】
しかしながら、口腔模型の模造人工歯根（analog）の結合界面（interface）が著しくないので、コンピュータにより口腔模型をスキャンしても、口腔模型のデジタルデータだけを取り可能であり、前記模造人工歯根の結合界面のデジタルデータを取ることができない。且つ前記模造人工歯根と支台歯の結合は特定な形態を有し、すなわち、両者の結合は特定な方向性があり、だから、前記模造人工歯根の結合界面のデジタルデータを取ることができない状態では、前記支台歯の形態を調整すると、コンピュータソフトウェアにより次の人工歯根の最高の噛合い関係および歯排列データなどを取り可能であるが、前記支台歯と模造人工歯根との配置がずれ易い。
【０００４】
だから、従来の技術によれば、支台歯と模造人工歯根の結合界面の位置決めの配置を基準としなく調整すると、調整された支台歯によって完成品を作成して、口腔の歯植え箇所に前記完成品を組付けるときに、調整された支台歯の完成品にあるズレにより、後続きの人工歯根の作製には歯の噛合い関係のデータが不明確になり、後続きの人工歯根の噛合いが良くなくなり、歯排列のデータが不明確になり、歯植えの人工歯根の外観が良くなくなる欠点があった。
【発明の開示】
【発明が解決しようとする課題】
【０００５】
本発明の主な目的は、必要によって支台歯を調整可能であり、且つ調整された支台歯と模造人工歯根の配置関係が上記の調整に影響されなく、歯植え手術の後続きの人工歯根の作製には明確な歯排列データを得ることができ、これにより、歯植えの人工歯根の外観が良くなる支台歯の設計方法を提供することにある。
【０００６】
本発明の次の目的は、必要によって支台歯を調整可能であり、且つ調整された支台歯と模造人工歯根の配置関係が上記の調整に影響されなく、歯植え手術の後続きの人工歯根の作製には明確な歯噛合いデータを得ることができ、これにより、後続きの人工歯根の噛合いが良くなる支台歯の設計方法を提供することにある。
【課題を解決するための手段】
【０００７】
上記目的を達成するためになされた本願の発明は、患者の口腔内の形状をレプリカして口腔模型を作製し、前記口腔模型の歯植え箇所では模造人工歯根（analog）が設けてあり、且つ前記模造人工歯根に結合界面が設けてあるステップＡと、参考ジグを取り出して、前記参考ジグに結合界面が設けてあり、且つ前記参考ジグの外面には特徴点が少なくとも一つ設けてあり、前記特徴点が遮蔽されないように、前記模造人工歯根の結合界面に前記参考ジグの結合界面を位置決めるステップＢと、前記口腔模型をスキャンすることにより、デジタル口腔模型、デジタル参考ジグとデジタル特徴点を取るステップＣと、データベースから、デジタル位置決めジグ、前記デジタル位置決めジグに結合した位置決め子とデジタル支台歯を取り出し、前記デジタル位置決めジグに特徴点が少なくとも一つ設けてあり、これらの特徴点により前記デジタル位置決めジグをデジタル参考ジグと重ねて位置決めて前記デジタル参考ジグを取り代わり、これにより、デジタル位置決めジグにある位置決め子と模造人工歯根にある結合界面の互いの位置決めの配置デジタルデータを取り可能であり、且つ前記デジタル支台歯が前記デジタル参考ジグと重ねて位置決められるステップＤと、前記デジタル位置決めジグ及び模造人工歯根の配置デジタルデータを取ることにより、前記デジタル支台歯を最高の形態に調整するステップＥを含むことを特徴とする、支台歯の設計方法であることを要旨としている。
【０００８】
本願の発明では、上記ステップＡにおいて、前記口腔模型の歯植え箇所が後歯である場合には、前記参考ジグが前記口腔模型の後歯に設置され、且つその特徴点が頬に向いていることを特徴とする、請求項１に記載の支台歯の設計方法であることを要旨としている。
【０００９】
本願の発明では、上記ステップＡにおいて、前記口腔模型の歯植え箇所が前歯である場合には、前記参考ジグが前記口腔模型の前歯に設置され、且つその特徴点が唇に向いていることを特徴とする、請求項１に記載の支台歯の設計方法であることを要旨としている。
【００１０】
本願の発明では、上記ステップＢにおいて、前記参考ジグの特徴点が凹んだ形態であることを特徴とする、請求項１に記載の支台歯の設計方法であることを要旨としている。
【００１１】
本願の発明では、上記ステップＤにおいて、前記デジタル支台歯が前記デジタル位置決めジグと共に前記デジタル参考ジグと重ねて位置決められることを特徴とする、請求項１に記載の支台歯の設計方法であることを要旨としている。
【発明の効果】
【００１２】
本発明の支台歯の設計方法によれば、次のような効果がある。
（１）歯植えの人工歯根の外観が良くなる。
（２）後続きの人工歯根の噛合いが良くなる。
【発明を実施するための最良の形態】
【００１３】
以下、添付図面を参照して本発明の好適な実施の形態を詳細に説明する。
【００１４】
まず、図１を参照する。本発明の支台歯の設計方法は、ステップＡと、ステップＢと、ステップＣと、ステップＤと、ステップＥを含む。
【００１５】
ステップＡは、図２、図３Ａ及び図３Ｂに示すように、患者の口腔内の形状をレプリカして口腔模型２０を作製し、前記口腔模型２０の歯植え箇所２１では模造人工歯根（analog）２２が設けてあり、且つ前記模造人工歯根２２に結合界面２２１が設けてあり、前記結合界面２２１が外部に露出しており、本実施例では、模造人工歯根２２の結合界面２２１が六角形であることを例にして説明するが、もちろん、結合界面は三角形であってもいいし、花弁形であってもよい。
【００１６】
ステップＢは、図４、図５Ａ及び図５Ｂに示すように、模造人工歯根２２の結合形態に対応する参考ジグ３０を取り出して、前記参考ジグ３０に結合界面３１が設けてあり、且つ前記参考ジグ３０の外面には特徴点３２が少なくとも一つ設けてあり、本実施例では、参考ジグ３０の結合界面３１が六角形であることを例にして説明するが、もちろん、結合界面は三角形であってもいいし、花弁形であってもよく、なお、前記参考ジグ３０の特徴点３２が凹んだ形態である。締付子３３を前記参考ジグ３０の貫通孔３４に挿通して、模造人工歯根２２にあるねじ穴２２２にねじ込むことにより、参考ジグ３０と模造人工歯根２２が結合されると共に、参考ジグ３０にある結合界面３１と模造人工歯根２２にある結合界面２２１も互いに結合するようになり、その結合した状態は図６に示した。なお、結合した後、参考ジグ３０の特徴点３２を遮蔽しないようにし、すなわち、特徴点３２は前記口腔模型２０及び模造人工歯根２２に露出し、これらをスキャンするとデジタルデータを得ることができる。特に、前記口腔模型２０の歯植え箇所が後歯である場合には、前記参考ジグ３０が前記口腔模型２０の後歯に設置され、且つその特徴点３２が頬に向いていることが好ましく、なお、前記口腔模型２０の歯植え箇所が前歯である場合には、前記参考ジグ３０が前記口腔模型２０の前歯に設置され、且つその特徴点３２が唇に向いていることが好ましい。
【００１７】
ステップＣは、図７に示すように、参考ジグ３０が設けられた口腔模型２０をスキャン機器（図示せず）内に設置して、前記口腔模型２０をスキャンすることにより、デジタル口腔模型４１、デジタル参考ジグ４２とデジタル特徴点４３を取る。
【００１８】
ステップＤは、図８、図９Ａ、図９Ｂ、図１０、図１１Ａに示すように、データベースから、参考ジグ３０の形態と同様なデジタル位置決めジグ５０、前記デジタル位置決めジグ５０に結合した位置決め子６０とデジタル支台歯７０を取り出し、前記デジタル位置決めジグ５０に特徴点５１が少なくとも一つ設けてあり、位置決め子６０の底部に結合界面６１が設けてあり、前記結合界面６１と特徴点５１の形態および相対位置は参考ジグ３０の結合界面３１及び特徴点３２に対応し、すなわち、位置決め子６０の結合界面６１は、六角形を呈し凹んだ形態であり、もちろん三角形であってもいいし、花弁形であってもよく、これらの特徴点４３，５１により前記デジタル位置決めジグ５０をデジタル参考ジグ４２と重ねて位置決めて前記デジタル参考ジグ４２を取り代わり、これにより、デジタル位置決めジグ５０にある位置決め子６０と模造人工歯根２２にある結合界面２２１、６１の互いの位置決めの配置デジタルデータＡを取り可能であり、且つデジタル支台歯７０が前記デジタル参考ジグ４２と重ねて位置決められ、デジタル口腔模型４１の隣接歯４１１の形態を参考可能であり、そうすると、デジタル支台歯７０をデジタル参考ジグ４２と重ねて位置決めることの精確度が向上する。特に、デジタル支台歯７０もデジタル位置決めジグ５０と共にデジタル参考ジグ４２と重ねて位置決めることができる。
【００１９】
ステップＥは、図１１Ａ及び図１１Ｂに示すように、前記デジタル位置決めジグ５０及び模造人工歯根２２の配置デジタルデータＡを取ることにより、前記デジタル支台歯７０を最高の形態に調整し、且つ前記デジタル支台歯７０及び模造人工歯根２２の配置が影響されない。また、図１２は本発明に係る支台歯の概略図であって、図面にはデジタル支台歯を調整した状態を示した。
【００２０】
本発明は、特徴点３２を有する参考ジグ３０の補助により、デジタル支台歯７０の調整するときに必要な配置デジタルデータＡ（例えば角度および方向などの配置デジタルデータＡ）を取り、これにより、図１１Ａ及び図１１Ｂに示すように、本発明は位置決め子６０と模造人工歯根２２の結合界面６１、２２１とを互いに位置決めた後の配置デジタルデータＡを基準として、隣接歯４１１の形態、又は他の関連データを参照すると、デジタル支台歯７０を調整し編修可能であり、且つ調整および編修の過程中に、前記配置デジタルデータＡはデジタル支台歯７０の編修によって変化しない。調整した後、デジタル支台歯７０のデータを加工系統に伝送すると、支台歯８０を作製することができ、且つ前記支台歯８０の完成品は、図１３に示すように、配置デジタルデータＡの形態を保有する。
【００２１】
このように、本発明は必要に応じてデジタル支台歯７０を調整可能であり、そして調整されたデジタル支台歯７０は模造人工歯根２２との配置関係（例えば角度および方向など）を影響しなく、だから、調整されたデジタル支台歯７０により支台歯８０を作成して、完成された支台歯８０を患者の口腔の歯植え箇所に組付けると、支台歯８０と植え体の配置がズレしなく、上記両者の配置関係を保持可能であり、これにより、後続きの人工歯根の作製には歯の噛合い関係のデータが明確になり、後続きの人工歯根の噛合いが良くなり、歯排列のデータが明確になり、歯植えの人工歯根の外観が良くなる。
【図面の簡単な説明】
【００２２】
【図１】本発明のフローチャート
【図２】本発明の口腔模型を取ることを示す概略図。図面には口腔模型内に模造人工歯根を有する状態を示した。
【図３Ａ】本発明に係る模造人工歯根の上面図。図面には模造人工歯根の結合界面が六角形である形態を示した。
【図３Ｂ】本発明に係る模造人工歯根の一部の断面図。図面には模造人工歯根の内部の形態を示した。
【図４】本発明に係る参考ジグを設置することを示す分解斜視図。図面には参考ジグを設置する前の状態を示した。
【図５Ａ】本発明に係る参考ジグの一部の断面図。図面には植え体の内部の形態を示した。
【図５Ｂ】本発明に係る参考ジグの下面図。図面には参考ジグの結合界面が六角形である形態を示した。
【図６】本発明に係る参考ジグを設置することを示す概略図。図面には参考ジグを設置した状態を示した。
【図７】本発明のスキャンを示す概略図。図面には口腔模型をスキャンした状態を示した。
【図８】本発明の位置決めの概略図１。図面にはデジタル位置決めジグ、結合界面およびデジタル支台歯を位置決める前の状態を示した。
【図９Ａ】本発明に係るデジタル位置決めジグ、結合界面およびデジタル支台歯の断面図。図面にはデジタル位置決めジグ、結合界面およびデジタル支台歯の形態を示した。
【図９Ｂ】本発明に係るデジタル位置決めジグ、結合界面およびデジタル支台歯の下面図。図面にはデジタル位置決めジグ、デジタル支台歯および結合界面が六角形である形態を示した。
【図１０】本発明の位置決めの概略図２であって、図面にはデジタル位置決めジグ、結合界面およびデジタル支台歯を位置決めた状態を示した。
【図１１Ａ】本発明の調整の概略図１。図面にはデジタル位置決めジグ及び模造人工歯根を互いに位置決めた後の配置デジタルデータを取ったことを示した。
【図１１Ｂ】本発明の調整の概略図２。図面にはデジタル支台歯を調整する動作を示した。
【図１２】本発明に係る支台歯の概略図。図面にはデジタル支台歯を調整した状態を示した。
【図１３】本発明に係る支台歯の概略図。図面にはデジタル支台歯を調整して完成品を作成したことを示した。
【符号の説明】
【００２３】
１１      口腔模型取り                    
１２      参考ジグの設置
１３      スキャン                              
１４      位置決め
１５      調整                                  
２０      口腔模型
２１      歯植え箇所                      
２２      模造人工歯根
３０      参考ジグ                              
３１      結合界面
３２      特徴点                          
３３      締付子
３４      貫通孔                          
４１      デジタル口腔模型
４２      デジタル参考ジグ                
４３      デジタル特徴点
５０      デジタル位置決めジグ            
５１      特徴点
６０      位置決め子                      
６１      結合界面
７０      デジタル支台歯      
８０      支台歯
２２１    結合界面                              
２２２    ねじ穴
４１１    隣接歯                          
Ａ        配置デジタルデータ
【図１】
2009101124.tif 000003
【図２】
2009101124.tif 000004
【図３Ａ】
2009101124.tif 000005
【図３Ｂ】
2009101124.tif 000006
【図４】
2009101124.tif 000007
【図５Ａ】
2009101124.tif 000008
【図５Ｂ】
2009101124.tif 000009
【図６】
2009101124.tif 000010
【図７】
2009101124.tif 000011
【図８】
2009101124.tif 000012
【図９Ａ】
2009101124.tif 000013
【図９Ｂ】
2009101124.tif 000014
【図１０】
2009101124.tif 000015
【図１１Ａ】
2009101124.tif 000016
【図１１Ｂ】
2009101124.tif 000017
【図１２】
2009101124.tif 000018
【図１３】
2009101124.tif 000019